(57)【特許請求の範囲】
【請求項１】
被取付体を取付けた装置本体と、
この装置本体の底面に設けられ取付相手に支持される支持面部と、
この支持面部に対し一定の角度に形成され取付相手の一側面に係合する係止部と、
この係止部に対し平行に配設されこの平行姿勢のまま移動されて取付相手の他側面に係合する押圧部と、
この押圧部を係止部側に付勢する付勢手段とを具備し、
押圧部は、支持面部と平行な面内で回動可能に軸支された２本のアームの先端にてそれぞれ係止部と平行に設けられた棒状部材であり、
付勢手段は、アームに対して複数のねじりコイルスプリングを設け、
付勢手段は、２本のアーム上に重ねて設けられアームを開脚方向へ付勢する第１のねじりコイルスプリングと、２本のアーム間に設けられアームを開脚方向へ付勢する第２のねじりコイルスプリングとにより形成され、
第１のねじりコイルスプリングおよび第２のねじりコイルスプリングの各コイル部の巻数は、第１のねじりコイルスプリングがアーム上に重ねられた状態で第２のねじりコイルスプリングと高さがほぼ等しくなるように設定された
ことを特徴とする取付装置。
【請求項２】
各アームは、長手方向に形成されたリブを有し、第１のねじりコイルスプリングはリブの内側からアームを付勢し、第２のねじりコイルスプリングはリブの外側からアームを付勢することを特徴とする請求項１記載の取付装置。
【請求項３】
被取付体は、装置本体の係止部寄りに設けられた軸受部にて回動可能に軸支され、押圧部は、係止部より長く形成されたことを特徴とする請求項１または２記載の取付装置。
【請求項４】
取付相手を、ノート型パーソナルコンピュータのディスプレーを開いたときの上辺部とし、被取付体を、画像通信用カメラとしたことを特徴とする請求項１乃至３のいずれかに記載の取付装置。
【発明の詳細な説明】
【０００１】
【発明の属する技術分野】
本発明は、例えばノート型パーソナルコンピュータなどに画像通信用カメラなどを取付けるための取付装置に関するものである。
【０００２】
【従来の技術】
ノート型パーソナルコンピュータ（以下、ノートパソコンという）同士で画像通信を行うためのチャージカップルドデバイス・カメラ（以下、ＣＣＤカメラという）をノートパソコンのディスプレー（液晶表示部）に取付ける場合、従来は、図７に示されるように、カメラ本体１の裏側に洗濯ばさみ状のクリップ２を取付け、ディスプレーの横縁をこのクリップ２により挟むようにして、ＣＣＤカメラを取付けている。また、カメラ本体１をクリップ２に対しチルト軸部３にて角度調整できるようになっている。
【０００３】
【発明が解決しようとする課題】
この従来のカメラ取付装置は、カメラ本体１に対して大形のクリップ２を取付けているため、カメラ本体１との一体感に欠けるとともに、洗濯ばさみ状のクリップ２であるから、ノートパソコンのディスプレー横縁にカメラ本体１を取付けたときの取付安定性に欠ける問題がある。すなわち、従来はクリップ２の先端部でしかディスプレーを挟持できないため、またクリップ幅が狭いため、挟込みが不安定である。
【０００４】
本発明は、このような点に鑑みなされたもので、画像通信用カメラなどをノートパソコンなどに取付ける場合の取付安定性を向上させることができる取付装置を提供することを目的とするものである。
【０００５】
【課題を解決するための手段】
請求項１に記載された発明は、被取付体を取付けた装置本体と、この装置本体の底面に設けられ取付相手に支持される支持面部と、この支持面部に対し一定の角度に形成され取付相手の一側面に係合する係止部と、この係止部に対し平行に配設されこの平行姿勢のまま移動されて取付相手の他側面に係合する押圧部と、この押圧部を係止部側に付勢する付勢手段とを具備し、押圧部を、支持面部と平行な面内で回動可能に軸支された２本のアームの先端にてそれぞれ係止部と平行に設けられた棒状部材とし、付勢手段として、アームに対して複数のねじりコイルスプリングを設け、付勢手段が、２本のアーム上に重ねて設けられアームを開脚方向へ付勢する第１のねじりコイルスプリングと、２本のアーム間に設けられアームを開脚方向へ付勢する第２のねじりコイルスプリングとにより形成され、第１のねじりコイルスプリングおよび第２のねじりコイルスプリングの各コイル部の巻数は、第１のねじりコイルスプリングがアーム上に重ねられた状態で第２のねじりコイルスプリングと高さがほぼ等しくなるように設定された取付装置である。
【０００６】
そして、この取付装置は、係止部と押圧部とで取付相手を挟持するとともに、支持面部が取付相手により支持されるので、取付安定性が向上する。さらに、係止部に対し押圧部が平行を保って開閉し、取付相手を係止部と押圧部の全体で安定良く挟持する。２本のアームの回動により押圧部がそれぞれ係止部に対し平行を保って開閉し、取付相手の厚み変化に対応する。また、取付相手が薄くなると、アームの開脚が大きくなるため２本の押圧部の間隔が広がり、取付相手による支持面部の支持不足を補うことができる。ねじりコイルスプリングを複数にして、総合的に所定の付勢力を得ながら個々のねじりコイルスプリングの巻数を少なくすることで、スプリングの高さを低く押えて、取付装置の大形化を抑える。第１のねじりコイルスプリングより第２のねじりコイルスプリングの方がコイル部の巻数が多くなるようにして、両スプリングの高さを揃えることで、二つのねじりコイルスプリングを狭い収納スペースに効率良く収納する。
【０００７】
請求項２に記載された発明は、請求項１記載の取付装置における各アームが、長手方向に形成されたリブを有し、第１のねじりコイルスプリングはリブの内側からアームを付勢し、第２のねじりコイルスプリングはリブの外側からアームを付勢するものである。
【０００８】
そして、リブによりアームを補強するとともに、ねじりコイルスプリング同士の干渉を防ぐ。
【０００９】
請求項３に記載された発明は、請求項１または２記載の取付装置における被取付体が、装置本体の係止部寄りに設けられた軸受部にて回動可能に軸支され、押圧部は、係止部より長く形成されたものである。
【００１０】
そして、取付相手が背面側に傾斜した状態で使用される場合は、係止部を取付相手の前面側に係合して係止部寄りに軸支された被取付体の重心を前面側に位置させるとともに、長く形成された押圧部を取付相手の背面側に密着させて、背面側にかかる被取付体の荷重を確実に支持させる。
【００１１】
請求項４に記載された発明は、請求項１乃至３のいずれかに記載の取付装置における取付相手を、ノート型パーソナルコンピュータのディスプレーを開いたときの上辺部とし、被取付体を、画像通信用カメラとしたものである。
【００１２】
そして、ノート型パーソナルコンピュータのディスプレーの上辺部に画像通信用カメラを安定良く取付ける。
【００１３】
【発明の実施の形態】
以下、本発明の一実施形態を図１乃至図６を参照しながら説明する。
【００１４】
図１に示されるように、装置本体11の上部に、被取付体としての画像通信用カメラ、すなわちチャージ・カップルド・デバイス・カメラ（以下、ＣＣＤカメラ12という）が取付けられ、装置本体11の下部に、取付相手としてのノート型パーソナルコンピュータ（以下、ノートパソコンという）のディスプレー（液晶表示部）13に対する挟持機構14が設けられている。
【００１５】
この挟持機構14は、ノートパソコンの開かれたディスプレー13の上辺面部21にて支持される支持面部としての底板22と、ディスプレー13に前面側から係合する係止部としての前板23と、底板22と平行な面内で回動可能に軸支されたアーム24の先端に前板23と平行に配設されてディスプレー13に背面側から係合する押圧部としての脚部25と、図３（Ａ）に示されるように脚部25を前板23側に付勢する付勢手段26とを備えている。
【００１６】
底板22は、装置本体11の底面に嵌着されディスプレー13の上辺面部21と密着し、前板23は、底板22に対し直角に形成されてディスプレー13の前面と密着し、脚部25は、ディスプレー13の背面と密着する。
【００１７】
図２（Ａ）に示されるように、前板23の裏面には一対のゴム板27が貼付けられ、脚部25にはゴム筒28が一体的に嵌着されている。さらに、図２（Ｂ）に示されるように、底板22にはゴム板29が貼付けられている。このゴム板29にはネジ挿入部に対応する切欠部29a および穴部29b が設けられている。これらのゴム板27，29およびゴム筒28は、図１に示されるようにディスプレー13の３面に当接して、本取付装置のずれ防止に役立つ。
【００１８】
図２（Ａ）に示されるように、装置本体11には左右両側部の上側に一対の軸受部31が一体形成され、一方、本取付装置により取付けられるＣＣＤカメラ12は、カメラ本体32の下部中央に凸部33が形成され、この凸部33が一対の軸受部31の間に嵌合され、一側の軸受部31から凸部33を経て他側の軸受部31にチルト軸34が挿通され、このチルト軸34を支点にカメラ本体32を前後方向に角度調整するチルト機構が形成されている。
【００１９】
図２（Ｂ）および図３（Ａ）に示されるように、装置本体11の底面部には、前記前板23の左右両側部から後方へそれぞれ枠板35が一体成形され、これらの枠板35の後方にそれぞれ切欠部36が設けられ、これらの両側の切欠部36の間に枠板37が設けられている。前板23および枠板35，37の内側に前記底板22が嵌着されている。枠板35，37は脚部25の回動範囲を規制するストッパとしても機能する。
【００２０】
図３（Ａ）に示されるように、装置本体11と一体成形された一つの回転軸支部41に、２本のアーム24の基端軸受部42が同軸で回動するようにそれぞれ回動自在に嵌着され、２本の脚部25は、各アーム24の先端部に丸棒部43がそれぞれ直角に一体成形され、これらの各丸棒部43に前記ゴム筒28がそれぞれ一体的に嵌着されて形成された棒状部材であり、アーム24が装置本体11の底面と平行の面内で回動することにより、各脚部25は前板23に対し平行姿勢のまま移動する。
【００２１】
各アーム24は、両側縁に沿って長手方向に補強用のリブ46，47が成形されて凹形断面に形成された中空構造とし、その中央部よりピン48が一体的に突設されている。
【００２２】
２本の脚部25は、前記切欠部36にて移動自在に設けられ、両側の枠板35で係止される位置では、２本の脚部25を前板23の全幅とほぼ同等の幅位置に位置させることができ、また、中央の枠板37の両端で係止される位置では、２本の脚部25の間に最小限度の間隔を確保できる。
【００２３】
さらに、付勢手段26は、アーム24の回動面に併設した第１のねじりコイルスプリング51と、第２のねじりコイルスプリング52とで形成する。
【００２４】
すなわち、付勢手段26は、２本のアーム24の基端軸受部42がそれぞれ嵌合された回転軸支部41に、第１のねじりコイルスプリング51のコイル部53が重ねて嵌合され、この第１のねじりコイルスプリング51の一端部54および他端部55が各アーム24のリブ47の内側面とピン48との間にそれぞれ嵌着され、この第１のねじりコイルスプリング51により各アーム24が開脚する方向（図３（Ａ）にて上方）に付勢されている。
【００２５】
さらに、装置本体11の中央部に一体成形された別の凸部56に第２のねじりコイルスプリング52のコイル部57が嵌着され、この第２のねじりコイルスプリング52の一端部58および他端部59が、各アーム24のリブ47の外側面にそれぞれ係合され、この第２のねじりコイルスプリング52により各アーム24が開脚する方向（図３（Ａ）にて上方）に付勢されている。
【００２６】
このように、複数のねじりコイルスプリング51，52を用いることにより、所定の付勢力を得ながら、コイル部53，57の個々の巻数を少なくすることができるので、ねじりコイルスプリング51，52のコイル部53，57の高さを低く押えて、取付装置の大形化を抑えることができる。
【００２７】
第１のねじりコイルスプリング51と第２のねじりコイルスプリング52のコイル部53，57の巻数は、回転軸支部41に２本のアーム24の基端軸受部42を重ねて嵌合した上にさらに第１のコイルスプリング51のコイル部53を重ねて嵌合した状態で、それらの全高が第２のねじりコイルスプリング52のコイル部57の高さと等しくなるように設定する。すなわち、第１のコイルスプリング51の巻数より第２のコイルスプリング52の巻数の方が多い。この構造により、ねじりコイルスプリング51，52を装置本体11の狭い（薄い）アーム回動空間内にもスペース効率良く収納できる。
【００２８】
また、図３（Ａ）に示されるように、装置本体11の裏面には左右対称位置にて４箇所のネジ取付台部61が一体成形され、これらのネジ取付台部61と前記アーム24の回転軸支部41とにそれぞれネジ孔62が設けられている。
【００２９】
一方、図３（Ｂ）に示されるように、前記底板22には、各ネジ孔62と対応する位置にネジ挿入孔63がそれぞれ穿設され，また、脚部25の移動範囲と対応する位置には凹部64が左右対称に設けられ、さらに、アーム24から突設されたピン48と嵌合する一対の円弧状溝65が回転軸支部41を中心として形成されている。
【００３０】
そして、図２（Ｂ）に示されるように、底板22の各ネジ挿入孔63から挿入され装置本体11側のネジ孔62に螺入されたネジ66により底板22が固定されている。この固定状態の底板22は、内側に位置する円弧状溝65にてアーム24のピン48の移動を案内し、アーム24の円滑な回動を図るとともに、ねじりコイルスプリング51，52の外れ防止機能をもっている。
【００３１】
なお、ＣＣＤカメラ12は、図４乃至図６に示されるように、カメラ本体32の正面の中央部には撮像窓71と焦点調整ダイヤル72とが設けられ、カメラ本体32の裏面の下部からは電気コード73が引出されている。
【００３２】
次に、この実施形態の作用を説明する。
【００３３】
本取付装置によりＣＣＤカメラ12をノートパソコンの開状態のディスプレー13に取付けるときは、図３（Ａ）にて二つの脚部25を指先で摘むようにして、回転軸支部41を中心に二つのねじりコイルスプリング51，52のＡ方向復元力に抗して、二つの脚部25をＢ方向に回動することにより、前板23に対して二つの脚部25をいったん開き、図１に示されるように前板23の裏面と二つの脚部25との間に開状態ディスプレー13の上辺部を相対的に差込むように嵌合して、二つの脚部25に働くねじりコイルスプリング51，52のＡ方向の反発付勢力（復元力）を解放すると、前板23と二つの脚部25とによりディスプレー13を挟持するようにして、ＣＣＤカメラ12を開状態ディスプレー13の上辺部に取付けることができる。
【００３４】
このとき、前板23をノートパソコンの開状態ディスプレー13の前面側に係合させるとともに、二つの脚部25をディスプレー13の背面側に係合させるだけでなく、同時に底板22をディスプレー13の上辺面部21に係合させることにより、ＣＣＤカメラ12の取付安定性が高くなる。すなわち、前板23と脚部25とでディスプレー13を挟持することに加えて、底板22をディスプレー13の上辺面部にて支持することにより、従来のクリップ２（図７）のように挟込むだけの挟持に比べて取付安定性を向上できる。
【００３５】
また、従来のクリップ２（図７）は、先端部でしか取付相手を挟持できないため挟込みが不安定であるが、本取付装置は、二つのアーム24をそれぞれ底板22と平行な面内で回動させることにより、二つの脚部25を前板23と常に平行に移動させることができ、このため、前板23と脚部25との間隔が変化しても、ディスプレー13を前板23の前面と脚部25の全長とで挟持でき、安定した挟込み状態が得られる。
【００３６】
このため、二つの脚部25が自由に回動できる切欠部36の範囲内では、ノートパソコンのディスプレー13の厚み変化に対応でき、どのようなノートパソコンのディスプレー13にも問題なく取付けることが可能である。
【００３７】
その際に、前板23の幅方向に２本設けられた脚部25により挟込みを安定化できる。また、厚さの薄いディスプレー13に取付ける場合は、底板22での支持面積が小さくなるが、ディスプレー13が薄くなると、アーム24の開脚角度が大きくなり、二つの脚部25の間隔が広がるから、底板22による支持不足を補うことができる。
【００３８】
その上、二つの脚部25には二つのねじりコイルスプリング51，52の反発付勢力が強力に作用するので、これらの反発付勢力により取付安定性を向上できる。その際、図３（Ａ）に示されるように、第１のねじりコイルスプリング51は、各アーム24のリブ46，47内に両端部54，55を挿入してリブ47の内側でピン48を前板23側へ付勢し、第２のねじりコイルスプリング52は、リブ47の外側から各アーム24を前板23側へ付勢するから、ねじりコイルスプリング同士で干渉しない。
【００３９】
さらに、図１に示されるように、本取付装置は、取付相手のノートパソコンのディスプレー13が背面側に傾斜した状態で使用され、装置本体11の前寄りに設けられたチルト軸34にて、ＣＣＤカメラ12のカメラ本体32を前面側へ回動し、カメラ本体32の重心ができるだけ前側に位置するようにし、さらに、ディスプレー13を背面側から挟持する脚部25を前板23より長く形成して、ディスプレー13の背面に密着させることによりディスプレー13の背面側での荷重支持を確実にし、本取付装置がディスプレー13の背面側へ脱落するおそれを防止する。
【００４０】
このように、ＣＣＤカメラ12の取付位置を開状態にあるディスプレー13の上辺部とすることにより、また、底板22をディスプレー13の上辺面部21に当接することにより、カメラ12の取付安定性を図るとともに、二つの脚部25に嵌装されたゴム筒28と、前板23の裏面および底板22に貼付けられたゴム板27，29とによる滑止め作用により、上記取付安定性をより確実なものにし、例えば振動によりＣＣＤカメラ12がノートパソコンのディスプレー13から外れたりすることがない。
【００４１】
さらに、ディスプレー13に取付けた後のＣＣＤカメラ12の位置調整も前後方向のチルト機構により容易に行え、チルト軸34を中心にカメラ本体32の角度を前後方向に調整することにより、適切な方向にＣＣＤカメラ12の撮像窓71の向きをセットすることができ、正しい綺麗な画像をＣＣＤカメラ12より取込むことが可能となる。
【００４２】
なお、本発明は、ノートパソコンのディスプレー13にＣＣＤカメラ12を取付ける取付装置のみに用途を限定されるものではなく、他のものに他のものを取付ける際の取付装置として用いることができ、例えば携帯型ワードプロセッサ（ワープロ）のディスプレー（液晶表示部）に書見台を取付ける際の取付装置として用いることもできる。
【００４３】
【発明の効果】
請求項１記載の発明によれば、係止部と押圧部とで取付相手を挟持することに加えて、支持面部が取付相手により支持されるので、従来のクリップのように挟込むだけの挟持に比べて、取付安定性を向上できる。さらに、従来のクリップは、先端部でしか取付相手を挟持できないため、挟込みが不安定であるが、押圧部を係止部に対し平行に移動させて開閉するから、取付相手を係止部と押圧部の全体で挟持でき、安定した挟持状態を確保できる。２本のアームの先端にそれぞれ設けられた押圧部が係止部の幅方向に位置して、取付相手に対する挟込み安定性を確保できるとともに、アームの回動により係止部と押圧部との間隔を変化させて取付相手の厚さ変化に対応できる。また、薄い取付相手に取付ける場合は支持面部での支持不足が生ずるが、取付相手が薄くなるほどアームの開脚角度が大きくなるため、２本の押圧部間の間隔が拡大して、支持面部による支持不足を補うことができ、薄い取付相手に対しても高い取付安定性を維持できる。ねじりコイルスプリングを複数にして、アームに対する所定の付勢力を確保しながら、個々のねじりコイルスプリングの巻数を少なくすることにより、スプリングの高さを低く押えて、取付装置の大形化を抑えることができる。特に、２本のアーム上に設けられた第１のねじりコイルスプリングと、２本のアーム間に設けられた第２のねじりコイルスプリングとの高さを揃えることにより、二つのねじりコイルスプリングを狭い収納スペースに効率良く収納できる。
【００４４】
請求項２記載の発明によれば、リブによってアームを補強できるとともに、ねじりコイルスプリング同士の干渉を防ぐことができる。
【００４５】
請求項３記載の発明によれば、取付相手が背面側に傾斜した状態で使用される場合は、係止部を取付相手の前面側に係合して係止部寄りに軸支された被取付体の重心を前面側に位置させるとともに、長く形成された押圧部が取付相手を背面側から挟持して、背面側にかかる被取付体の荷重を確実に支持でき、取付装置の背面側への脱落を確実に防止できる。
【００４６】
請求項４記載の発明によれば、ノート型パーソナルコンピュータのディスプレーの上辺面部に対する画像通信用カメラの取付安定性を向上できる。
【図面の簡単な説明】
【図１】  本発明に係る取付装置の使用状態を示す左側面図である。
【図２】  （Ａ）は同上取付装置の背面図、（Ｂ）はその底面図である。
【図３】  （Ａ）は同上取付装置の底板取外状態を示す底面図、（Ｂ）はその底板の内面側の平面図である。
【図４】  同上取付装置の平面図である。
【図５】  同上取付装置の正面図である。
【図６】  同上取付装置の右側面図である。
【図７】  （Ａ）は従来のカメラ取付装置の平面図、（Ｂ）はその正面図、（Ｃ）はその左側面図、（Ｄ）はその右側面図、（Ｅ）はその底面図である。
【符号の説明】
11    装置本体
12    被取付体としての画像通信用カメラ（ＣＣＤカメラ）
13    取付相手としてのノートパソコンのディスプレー
22    支持面部としての底板
23    係止部としての前板
24    アーム
25    押圧部としての脚部
26    付勢手段
31    軸受部
46，47    リブ
51，52    ねじりコイルスプリング
53，57    コイル部
【図１】
0003884120.tif 000002
【図２】
0003884120.tif 000003
【図３】
0003884120.tif 000004
【図４】
0003884120.tif 000005
【図５】
0003884120.tif 000006
【図６】
0003884120.tif 000007
【図７】
0003884120.tif 000008